(57)【要約】【課題】入力信号を分割出力可能とされた選局装置に関し、分割出力が接続される後段回路への局部発振周波数の影響を低減できる選局装置を提供することを目的とする。【解決手段】本発明は、入力信号を分配する分配器（４３）と、受信チャンネルに応じた局部発振周波数信号を生成する局部発振器（５２）と、前記局部発振器（５２）で生成された局部発振周波数信号に基づいて前記入力信号を中間周波数に周波数変換する周波数変換器（５１）と、前記局部発振器（５２）と前記分配出力との経路中に設けられ、前記局部発振器（５２）で生成される局部発振周波数成分の前記分配出力への漏洩を低減するフィルタ回路（４７）とを有することを特徴とする。【選択図】  図６
2004208161.tif 000002
【特許請求の範囲】
【請求項１】
入力信号を分配する分配器と、
受信チャンネルに応じた局部発振周波数信号を生成する局部発振器と、
前記局部発振器で生成された局部発振周波数信号に基づいて前記入力信号を中間周波数に周波数変換する周波数変換器と、
前記局部発振器と前記分配出力との経路中に設けられ、前記局部発振器で生成される局部発振周波数成分の前記分配出力への漏洩を低減するフィルタ回路とを有することを特徴とする選局装置。
【請求項２】
前記フィルタ回路は、ノッチフィルタ又はバンドエリミネーションフィルタから構成されたことを特徴とする請求項１記載の選局装置。
【請求項３】
前記フィルタ回路は、前記入力信号の周波数成分のうち受信可能なチャンネルで互いに生じる妨害を改善するために予め設けられたシフトフィルタを用いることを特徴とする請求項１又は２記載の選局装置。
【請求項４】
前記入力信号は、少なくともＢＳ放送波信号及び１１０度ＣＳ放送波信号を含み、
前記フィルタ回路は、前記ＢＳ放送波信号のうち、ＢＳ−１１チャンネルを中間周波数に変換するときの局部発振周波数成分を低減することを特徴とする請求項１乃至３のいずれか一項記載の選局装置。
【請求項５】
前記フィルタ回路は、選択チャンネルに応じて周波数特性が変化することを特徴とする請求項１乃至４のいずれか一項記載の選局装置。
【発明の詳細な説明】
【０００１】
【発明の属する技術分野】
本発明は、選局装置に係り、特に、入力信号を分割出力可能とされた選局装置に関する。
【０００２】
【従来の技術】
ＶＴＲ（video tape recorder）には、衛星放送を受信するためのチューナが内蔵されている。チューナは高周波信号を増幅し、受信信号を選局チャンネルに応じた中間周波数に変換する。このとき、ＢＳ放送、あるいは、ＣＳ放送を受信するためのチューナではギガヘルツあるはメガヘルツ単位の信号を扱っていた。
（特許文献１参照）
【０００３】
【特許文献１】
特開２０００−３４９６７５号公報
【０００４】
【発明が解決しようとする課題】
しかるに、従来のチューナでは、分割出力への高周波ノイズがＣＳ用選局装置に供給される点については何ら考慮が行われていなかった。
【０００５】
本発明は上記の点に鑑みてなされたもので、分割出力が接続される後段回路への局部発振周波数の影響を低減できる選局装置を提供することを目的とする。
【０００６】
【課題を解決するための手段】
本発明は、入力信号を分配する分配器（４３）と、受信チャンネルに応じた局部発振周波数信号を生成する局部発振器（５２）と、前記局部発振器（５２）で生成された局部発振周波数信号に基づいて前記入力信号を中間周波数に周波数変換する周波数変換器（５１）と、前記局部発振器（５２）と前記分配出力との経路中に設けられ、前記局部発振器（５２）で生成される局部発振周波数成分の前記分配出力への漏洩を低減するフィルタ回路（４７）とを有することを特徴とする。
【０００７】
本発明によれば、フィルタ回路（４７）により局部発振器（５２）の局部発振信号を分配出力への漏洩を低減できるため、局部発振信号による分配出力後段への妨害を低減できる。
【０００８】
なお、参照符号は、あくまでも参考であり、これによって特許請求の範囲が限定されるものではない。
【０００９】
【発明の実施の形態】
図１は本発明の一実施例のシステム構成図を示す。
【００１０】
本実施例の衛星放送受信システム１は、衛星アンテナ１１、画像記録装置１２、ＣＳ受信装置１３、テレビジョン受像機１４を含む構成とされている。
【００１１】
衛星アンテナ１１は、例えば、パラボラアンテナから構成されており、ＢＳ放送衛星及び１１０度ＣＳ衛星からの放送波を同時に受信可能とされている。衛星アンテナ１１で受信された信号は、同軸ケーブルを通して画像記録装置１２に供給される。
【００１２】
ここで、画像記録装置１２について説明する。
【００１３】
図２は画像記録装置１２のブロック構成図を示す。
【００１４】
画像記録装置１２は、例えば、ＶＴＲ（video tape recorder）などから構成されており、ＢＳチューナ３１、処理回路３２、記録回路３３、記録／再生機構３４、再生回路３５、制御回路３６、操作部３７を含む構成とされている。
【００１５】
同軸ケーブル２１は、画像記録装置１２のＢＳチューナ３１に接続されている。
【００１６】
図３はＢＳチューナ３１のブロック構成図を示す。
【００１７】
ＢＳチューナ３１は、シールドケースに収納された一つのユニット構造とされている。ＢＳチューナ３１は、ローパスフィルタ４１、ハイパスフィルタ４２、スプリッタ４３、ローパスフィルタ４４、アンプ４５、自動利得制御回路４６、シフトフィルタ４７、ＰＬＬＩＣ４８、イメージフィルタ４９、アンプ５０、ミキサ５１、発振回路５２、アンプ５３を含む構成とされている。
【００１８】
ケーブル２１は、ＢＳチューナ３１のアンテナ接続端子Ｔantに接続されている。アンテナ接続端子Ｔantは、ローパスフィルタ４１に接続されており、ＢＳアンテナ１１からの信号は、まず、ローパスフィルタ４１に供給される。
【００１９】
ローパスフィルタ４１は、アンテナ接続端子Ｔantに供給される信号の低周波成分を除去する。ローパスフィルタ４１で低周波成分が除去された信号は、ハイパスフィルタ４２に供給される。ハイパスフィルタ４２は、ローパスフィルタ４１の出力信号の高周波ノイズ成分を除去する。ハイパスフィルタ４２で高周波ノイズ成分が除去された信号は、スプリッタ４３に供給される。スプリッタ４３は、ハイパスフィルタ４２で高周波ノイズ成分が除去された信号を２系統に分割する。
【００２０】
このとき、ハイパスフィルタ４２は、１１０度ＣＳ放送波の周波数帯域より高い周波数をカットするようにその周波数特性が設定されている。すなわち、１１０度ＣＳ放送波は、ハイパスフィルタ４２を通過可能とされている。
【００２１】
スプリッタ４３で分割された信号の一方は、出力端子Ｔoutから出力される。また、スプリッタ４３で分割された信号他方は、ローパスフィルタ４４に供給される。
【００２２】
ローパスフィルタ４４は、スプリッタ４３からの信号から低周波成分を除去する。ローパスフィルタ４４で低周波成分が除去された信号は、アンプ４５に供給される。アンプ４５は、ローパスフィルタ４４で低周波成分を除去した信号を増幅する。アンプ４５で増幅された信号は、自動利得制御回路４６に供給される。自動利得制御回路４６は、利得を制御して、アンプ４５で増幅された信号の振幅が所定の振幅となるようにアンプ４５からの信号を増幅する。
【００２３】
自動利得制御回路４６の出力信号は、シフトフィルタ４７を通してイメージフィルタ４９に供給される。シフトフィルタ４７は、局部発振周波数成分ＬＯが分配出力端子Ｔantout1から出力される信号が分配出力端子Ｔantout1の後段回路でノイズとならないように局部発振周波数成分を除去する。
【００２４】
図４は、シフトフィルタ４７の回路構成図を示す。
【００２５】
シフトフィルタ４７は、ノッチフィルタ又はバンドエリミネーションフィルタから構成され、キャパシタＣ1〜Ｃ3、インダンクタＬ1、バラクタＤを含む構成とされている。シフトフィルタ４７は、キャパシタＣ1とキャパシタＣ2とが入力端子Ｔ11と出力端子Ｔ12との間に直列に接続され、インダクタＬ1、キャパシタＣ3、バラクタＤは、キャパシタＣ1とキャパシタＣ2と接続点と接地との間に直列に接続された構成とされている。
【００２６】
図５は、シフトフィルタ４７の周波数特性図を示す。
【００２７】
シフトフィルタ４７は、図５に示すようにキャパシタＣ1〜Ｃ3及びバラクタＤのキャパシタンスとインダクタＬ1のインダクタンスとによって決定される共振周波数に応じたトラップ周波数ｆ１で利得が低減する特性を有する。
【００２８】
このとき、キャパシタＣ3とバラクタＤとの間にはコントロール端子Ｔcnt11が接続されている。コントロール端子Ｔcnt11に印加する電圧のレベルに応じてバラクタＤの容量が変わる。バラクタＤの容量が変化することによりシフトフィルタ４７の容量成分が変化する。これによって、シフトフィルタ４７の周波数特性を変えることが可能となる。すなわち、コントロール端子Ｔcnt11に印加する制御電圧を変化させることにより図５に示すトラップ周波数ｆ１を変化させることができる。
【００２９】
シフトフィルタ４７のコントロール端子Ｔcnt11には、ＰＬＬＩＣ４８から局部発振回路５２を制御するための制御電圧が供給されている。このとき、ＰＬＬＩＣ４８は、制御回路３６からの指示に基づいて局部発振回路５２を制御するための制御電圧を生成している。局部発振回路５２は、電圧制御発振回路（ＶＣＯ）から構成されており、ＰＬＬＩＣ４８からの制御電圧に応じて出力局部発振周波数を制御する。このとき、シフトフィルタ４７の周波数特性は、チャンネルＢＳ−１１を選局した時に局部発振回路５２の出力発振周波数が低減される周波数に設定されている。
【００３０】
図６は、ＢＳ放送のチャンネルとシフトフィルタ４７のトラップ周波数との関係を示す図を示す。
【００３１】
本実施例では、シフトフィルタ４７はＰＬＬＩＣ４８からの制御電圧に応じて下記の通りトラップ周波数が変化するように設定されている。
チャンネルＢＳ−５を選局したときには、シフトフィルタ４７のトラップ周波数は１５２８．９８ＭＨｚに設定され、チャンネルＢＳ−７を選局したときには、シフトフィルタ４７のトラップ周波数は１５６７．３４ＭＨｚに設定され、チャンネルＢＳ−９を選局したときには、シフトフィルタ４７のトラップ周波数は１６０５．７０ＭＨｚに設定され、チャンネルＢＳ−１１を選局したときには、シフトフィルタ４７のトラップ周波数は１６４４．０６ＭＨｚに設定されている。このとき、特に、シフトフィルタ４７は、チャンネルＢＳ−９及びＢＳ−１１を選局したときに正確に上記トラップ周波数で局部発振信号のトラップが可能なように設定されている。
【００３２】
シフトフィルタ４７を通過した信号は、イメージフィルタ４９に供給される。イメージフィルタ４９は、シフトフィルタ４７を通過した信号からイメージ周波数成分を除去する。イメージフィルタ４９でイメージ周波数成分を除去された信号は、アンプ５０に供給される。アンプ５０は、イメージフィルタ４９を通過した信号を増幅する。アンプ５０で増幅された信号は、ミキサ５１に供給される。
【００３３】
ミキサ５１は、アンプ５０の出力信号に局部発振回路５２から供給される局部発振周波数信号を乗算して、アンプ５０の出力信号を中間周波数に周波数変換する。
【００３４】
図７は、ＢＳ放送の各チャンネルの受信周波数及び中間周波数並びに局部発振周波数を示す図である。
【００３５】
ＢＳ放送は、図７に示すようにチャンネルＢＳ−１、ＢＳ−３、ＢＳ−５、ＢＳ−７、ＢＳ−９、ＢＳ−１１、ＢＳ−１３、ＢＳ−１５の８チャンネルから構成されている。このうち、現在使用されているチャンネルは、ＢＳ−５、ＢＳ−７、ＢＳ−９、ＢＳ１１の４チャンネルである。
【００３６】
このうち、チャンネルＢＳ−９を受信するときには、局部発振回路５２の発振周波数は、１６０５．７０ＭＨｚとなる。また、チャンネルＢＳ−１１を受信するときには、局部発振回路５２の発振周波数は、１６４４．０６ＭＨｚとなる。これらの局部発振周波数は、１１０度ＣＳ放送の中間周波数に近似している。
【００３７】
図８は１１０度ＣＳ放送の各チャンネルの受信周波数と中間周波数との関係を示す図である。
【００３８】
図８に示すように１１０度ＣＳ放送は、チャンネルＮＤ２、ＮＤ４、ＮＤ６、ＮＤ８、ＮＤ１０、ＮＤ１２、ＮＤ１４、ＮＤ１６、ＮＤ１８、ＮＤ２０、ＮＤ２２、ＮＤ２４の１２チャンネルから構成されている。このうち、チャンネルＮＤ２の中間周波数帯の中心周波数は、１６１３ＭＨｚであり、チャンネルＮＤ４の中間周波数帯の中心周波数は、１６５３ＭＨｚである。
【００３９】
１１０度ＣＳ放送のチャンネルＮＤ２の中間周波数は、ＢＳ放送のチャンネルＢＳ−９の局部発振周波数とは、
１６１３（ＭＨｚ）−１６０５．７０（ＭＨｚ）＝７．３（ＭＨｚ）
の周波数差しかない。また、１１０度ＣＳ放送のチャンネルＮＤ４の中間周波数は、ＢＳ放送のチャンネルＢＳ−１１の局部発振周波数とは、
１６５３（ＭＨｚ）−１６４４．０６（ＭＨｚ）＝８．９（ＭＨｚ）
の周波数差しかない。
【００４０】
したがって、画像記録装置１２でチャンネルＢＳ−９を受信するとき、局部発振回路５２から出力される局部発振周波数１６０５．７０ＭＨｚの信号が分配出力端子Ｔantout1からＣＳ受信装置１３のアンテナ入力端子Ｔantin2に漏洩すると、画像記録装置１２のＢＳチューナ３１からの局部発振信号がＣＳ受信装置１３でチャンネルＮＤ２の中間周波数にノイズとして重畳されることになる。
【００４１】
また、画像記録装置１２でチャンネルＢＳ−１１を受信するとき、局部発振回路５２から出力される局部発振周波数１６４４．０６ＭＨｚの信号が分配出力端子Ｔantout1からＣＳ受信装置１３のアンテナ入力端子Ｔantin2に漏洩すると、画像記録装置１２のＢＳチューナ３１からの局部発振信号がＣＳ受信装置１３でチャンネルＮＤ４の中間周波数にノイズとして重畳されることになる。
【００４２】
しかし、本実施例によれば、シフトフィルタ４７は、チャンネルＢＳ−９を選局したときに、周波数１６０５．７０ＭＨｚの信号をトラップし、ＢＳ−１１を選局したときには、周波数１６４４．０６ＭＨｚの信号をトラップするので、ＣＳ受信装置１３にＮＤ２、ＮＤ４の中間周波数に近似した周波数の妨害を低減できる。
【００４３】
なお、シフトフィルタ４７はＢＳ放送間での局部発振信号などによる妨害を防止するために設けられていた。しかし、近年、ＢＳ放送は、チャンネルＢＳ−５〜ＢＳ−１１のみが使用されおり、他のチャンネルＢＳ−１、ＢＳ−３、ＢＳ−１３、ＢＳ−１５は使用されていない。また、近年、復調回路５５の精度が向上されているため、ＢＳ放送間での局部発振信号の妨害は問題にならなくなっている。そこで、本実施例では、このシフトフィルタ４７を利用してＣＳ放送への妨害を阻止する。
【００４４】
なお、ミキサ５１で周波数変換された信号は、アンプ５３に供給される。アンプ５３は、ミキサ５１の出力信号を増幅する。
【００４５】
アンプ５３で増幅された信号は、復調回路５４に供給される。復調回路５４は、アンプ５３からの信号から映像データを及び音声データを復調する。復調回路５４で復調された映像データ及び音声データは、出力端子Ｔvoutから出力される。
【００４６】
ＢＳチューナ３１の出力端子Ｔvoutから出力された映像データ及び音声データは、処理回路３２に供給される。処理回路３２は、ＢＳチューナ３１の出力端子Ｔvoutからの映像データ及び音声データを処理して、映像信号及び音声信号を抽出する。処理回路３２で得られた信号は、記録回路３３に供給される。記録回路３３は、制御回路３６により制御されており、処理回路３２から供給された映像信号及び音声信号を記録／再生機構３４に記録媒体３４に記録可能な信号に変調して記録／再生機構３４に供給する。
【００４７】
記録／再生機構３４には、記録媒体３８が搭載される。記録媒体３８は、例えば、磁気テープ、光ディスクから構成されている。記録／再生機構３４は、磁気テープ又は光ディスクに情報を記録するための機構であり、制御回路３６により制御されており、制御回路３６からの記録指示に基づいて記録回路３３からの映像信号及び音声信号を記録媒体３８に記録する。
【００４８】
制御回路３６は、ＣＰＵなどから構成されており、操作部３７の操作に基づいてＢＳチューナ３６による選局チャンネルの選択動作を制御したり、処理回路３２、記録回路３３、記録／再生機構３４、再生回路３５の動作を制御したりする。
【００４９】
また、処理回路３２は、記録動作時にはＢＳチューナ３１からのデータを処理し、記録回路３３に供給する。また、再生動作時には、記録／再生機構３４により記録媒体３８から読み出されたデータから画像信号及び音声信号を復調する。復調された画像信号は、画像出力端子Ｔvout1から出力される。また、復調された音声信号は、音声出力端子Ｔsout1から出力される。
【００５０】
画像記録装置１２の画像出力端子Ｔvout1は、例えば、Ｓビデオ端子などであり、テレビジョン受像機１４の画像入力端子Ｔvin11に接続される。また、画像記録装置１２の音声出力端子Ｔvout1は、テレビジョン受信機１４の音声入力端子Ｔsin11に接続される。
【００５１】
テレビジョン受像機１４は、映像入力端子Ｔvin11及び音声入力端子Ｔsin11を選択することにより画像記録装置１２からの映像及び音声を出力する。
【００５２】
一方、ＢＳチューナ４１の分配器４３で分配された信号は、分配出力端子Ｔantoutに供給される。分配出力端子Ｔantoutは、同軸ケーブル２２を介してＣＳ受信装置１３のアンテナ入力端子Ｔantinに供給される。
【００５３】
次にＣＳ受信装置１３について説明する。
【００５４】
図９は、ＣＳ受信装置１３のブロック構成図を示す。
【００５５】
ＣＳ受信装置１３は、ＣＳチューナ６１、処理回路６２、制御回路６３、操作部６４を含む構成とされている。
【００５６】
図１０はＣＳチューナ６１のブロック構成図を示す。
【００５７】
ＣＳチューナ６１は、フィルタ７１、アンプ７２、自動利得制御回路７３、ミキサ７４、局部発振回路７５、ＰＬＬＩＣ７６、フィルタ７７、アンプ７８、復調回路７９を含む構成とされている。
【００５８】
ＣＳチューナ６１のアンテナ入力端子Ｔantinに供給された信号は、フィルタ７１に供給される。フィルタ７１は、ＣＳ受信に不要な不要周波数帯域成分を除去する。フィルタ７１で不要周波数帯域成分が除去された信号は、アンプ７２で増幅される。
【００５９】
アンプ７２で増幅された信号は、自動利得制御回路７３に供給される。自動利得制御回路７３は、復調回路７９からの利得制御信号により、復調回路７９に供給される信号の振幅が一定になるように利得が制御されている。
【００６０】
自動利得制御回路７３の出力信号は、ミキサ７４に供給される。ミキサ７４には、自動利得制御回路７３の出力信号の他に、局部発振回路７５から局部発振周波数信号が供給されている。局部発振回路７５は、電圧制御発振回路から構成されており、ＰＬＬＩＣ７６からの制御電圧により出力発振信号の周波数が変化する構成とされている。
【００６１】
ＰＬＬＩＣ７６は、自動利得制御回路７３の出力信号と局部発振回路７５から局部発振周波数信号とをミキシングする。
【００６２】
ミキサ７４により、自動利得制御回路７３の出力信号と局部発振回路７５から局部発振周波数信号とをミキシングすることにより自動利得制御回路７３の出力信号の周波数が中間周波数に変換される。
【００６３】
ミキサ７４で中間周波数に変換された中間周波数信号は、フィルタ７７に供給される。フィルタ７７は、ミキサ７４からの中間周波数信号から不要周波数成分を除去する。フィルタ７７で不要周波数成分を除去された中間周波数信号は、アンプ７８に供給される。アンプ７８は、フィルタ７７からの中間周波数信号を増幅する。アンプ７８で増幅された中間周波数信号は、復調回路７９に供給される。復調回路７９は、アンプ７８からの中間周波数信号に基づいて画像データ及び音声データを復調し、出力端子Ｔoutから出力する。
【００６４】
ＣＳチューナ６１で復調されたデータは、出力端子Ｔoutから処理回路６２に供給される。処理回路６２は、ＣＳチューナ６１からのデータを処理して、映像信号、音声信号などを生成する。処理回路６２で生成された映像信号は、映像出力端子Ｔvout2から出力され、処理回路６２で生成された音声信号は音声出力端子Ｔsout2から出力される。映像出力端子Ｔvout2はＳビデオ端子又はビデオ端子であり、音声出力端子Ｔsout2は音声端子である。
【００６５】
映像出力端子Ｔvout2はテレビジョン受像機１４の映像入力端子Ｔvin12に、また、音声出力端子Ｔsout2はテレビジョン受像機１４の音声入力端子Ｔsin12に接続されている。テレビジョン受像機１４は、映像入力端子Ｔvin12、及び、音声入力端子Ｔsout12を選択することにより、ＣＳ受信装置１３からで受信された映像及び音声が出力される。
【００６６】
本実施例によれば、画像記録装置１２に内蔵されたＢＳチューナ３１の分配出力への１１０度ＣＳ放送を妨害する局部発振周波数の信号の漏洩を低減できるため、分配出力をＣＳ受信装置１３に供給したシステム構成においてもＣＳ放送への悪影響を低減でき、良好なＣＳ放送を受信できる。
【００６７】
なお、画像記録装置１２は、ＶＴＲに限定されるものではなく、ＤＶＤレコーダなど他の記録装置であってもよい。
【００６８】
【発明の効果】
上述の如く、本発明によれば、フィルタ回路により局部発振器の局部発振信号を分配出力への漏洩を低減できるため、局部発振信号による分配出力後段への妨害を低減できる等の特長を有する。
【図面の簡単な説明】
【図１】本発明の一実施例のシステム構成図である。
【図２】画像記録装置１２のブロック構成図である。
【図３】ＢＳチューナ３１のブロック構成図である。
【図４】シフトフィルタ４７の回路構成図である。
【図５】シフトフィルタ４７の周波数特性図である。
【図６】ＢＳ放送のチャンネルとシフトフィルタ４７のトラップ周波数との関係を示す図である。
【図７】ＢＳ放送の各チャンネルの受信周波数及び中間周波数並びに局部発振周波数を示す図である。
【図８】１１０度ＣＳ放送の各チャンネルの受信周波数と中間周波数との関係を示す図である。
【図９】ＣＳ受信装置１３のブロック構成図である。
【図１０】ＣＳチューナ６１のブロック構成図である。
【符号の説明】
１  衛星放送受信システム
１１  衛星放送受信アンテナ、１２  画像記録装置、１３  ＣＳチューナ
１４  テレビジョン受像機
３１  ＢＳチューナ、３２  処理回路、３３  記録回路
３４  記録／再生機構、３５  再生回路、３６  制御回路、３７  操作部
３８  記録媒体
４１、４４  ローパスフィルタ、４２  ハイパスフィルタ、４３  分配器
４５、５０、５４  アンプ、４６  自動利得制御回路、４７  シフトフィルタ
４８  ＰＬＬＩＣ、４９  イメージフィルタ、５１  ミキサ
５２  局部発振回路、５３  フィルタ、５５  復調回路
【図１】
2004208161.tif 000003
【図２】
2004208161.tif 000004
【図３】
2004208161.tif 000005
【図４】
2004208161.tif 000006
【図５】
2004208161.tif 000007
【図６】
2004208161.tif 000008
【図７】
2004208161.tif 000009
【図８】
2004208161.tif 000010
【図９】
2004208161.tif 000011
【図１０】
2004208161.tif 000012